(57)【要約】      （修正有）【課題】ブリスターケースと台紙において、金属ピンを使用しないで固定するブリスターケースを提供する。【解決手段】吊り下げ穴３方向より下端折曲げ部６方向へ差込まれ、左右両端折曲げ部、４、５および下端折曲げ部６にて係止させ、上端折返し片７を両端折曲げ部の曲げ方向へ折返し、折返し片７の左右両端を両端折曲げ部４，５の内側に挿入し、その左右両端に施された突起８、９を折曲げ部４、５に施された覆輪１０、１１にそれぞれ勘合し封止することを備えている。【選択図】図３
0003145605.tif 000002
【実用新案登録請求の範囲】
【請求項１】
物品を収納する収納凹部と左右両端および下端を折り曲げて形成したスライド用係合溝を有し、前記折曲げ部に台紙をスライドさせるブリスターケースであって、少なくとも対向する一対の折曲げ部が平行する収納凹部寸法幅より広い長さに連続した覆輪を設け、覆輪寸法幅内に収納凹部寸法が含まれ、また覆輪部は折曲げ片の中間部に形成されその断面はほぼ半円の形状とし、また第一曲げ内寸高さに対し、折曲げ方向開口部の高さ寸法を小さくしたブリスターケース。
【請求項２】
ブリスターケース上端部に折返し片を設け、その折り返し片の左右に突起を設け、ブリスターケースの左右両端の折曲部の覆輪に勘合してなる請求項１記載のブリスターケース。
【請求項３】
請求項２に記載のブリスターケースにあって、上端折返し片の左右突起と勘合する左右折曲げ部上端部に段差を設けてなる請求項１記載のブリスターケース。
【考案の詳細な説明】
【技術分野】
【０００１】本考案は、商品展示、販売を目的としたブリスターケースに関するものである。
【背景技術】
【０００２】ブリスターケースの折曲げ部の設定形状において、特許文献１のように折曲げ方向の開口部寸法が、勘合する台紙の厚みより小さく設定する技術が提案されている。
【特許文献１】特開２００１−９７４４５
【０００３】特許文献２のようにブリスターケースの折返し部の両端に舌片を有する提案および前記折返し部に補強用の突条を形成する提案がされている。
【特許文献２】特開２００１−１９２００６３
【考案の開示】
【考案が解決しようとする課題】
【０００４】しかしながら、特開２００１−９７４４５で示す技術では、ブリスターケース内の物品の折曲げ部などの復元力による膨らみや振動、落下時に台紙を介しブリスターケースの折曲げ部に開口方向の力がかかる。このとき、ブリスターケースの折曲げ部は容易に開口していた。これは、力の集中した部分を中心に折曲げ部の開口部が閉口方向の剛性が得られにくいためである。【０００５】前述の剛性を得るための方法として折曲げ部に突条を形成する技術が特開２００１−１９２００６３で示されている。しかし図１の（Ａ）（Ｂ）に示されるように、前記突条は、物品の収納凹部幅より短いため特に折曲げ部を広げる方向、すなわち収納凹部を広げる方向に衝撃が加わった場合、容易に開き物品がブリスターケースの収納部から抜け落ちやすいという課題があった。【０００６】その対策として、ブリスターケースと台紙を金属ピン等で固定しているが、金属ピン等を使用することにより作業工数が増え不要な費用の発生、金属ピンなどによる物品の損傷、金属ピンなどによる怪我の危険性及び開封後のごみの分別作業の課題があった。
【課題を解決するための手段】
【０００７】物品を収納する収納凹部と左右両端および下端を折り曲げて形成したスライド用係合溝を有し、前記折曲げ部に台紙をスライドさせるブリスターケースであって、少なくとも対向する一対の折曲げ部と平行する収納凹部寸法幅より広い長さに連続した覆輪を設け、覆輪寸法幅内に収納凹部寸法が含まれ、また覆輪部は折曲げ片の中間部に形成されその断面はほぼ半円の形状とし、また第一曲げ内寸高さに対し、折曲げ方向開口部の高さ寸法を小さくしたブリスターケース。【０００８】ブリスターケース上端部に折返し片を設け、その折り返し片の左右に突起を設け、ブリスターケースの左右両端の折曲部の覆輪に勘合してなるブリスターケース。【０００９】請求項２に記載のブリスターケースにあって、上端折返し片の左右突起と勘合する左右折曲げ部上端部に段差を設けてなる請求項１記載のブリスターケース。
【考案の効果】
【００１０】本考案に係るブリスターケースでは、従来品に比べブリスターケースの衝撃強度が強化され、ブリスターケースの変形を防ぐ結果となりケースの開封および商品の落下を防止させる効果が得られる。【００１１】また、衝撃強度が強化されたことで金属ピンによる固定が不要となり、生産性の向上、金属ピンによる物品の損傷防止、怪我の危険性回避、開封後のごみの分別作業の軽減などの効果が得られる。
【考案を実施するための最良の形態】
【実施例】
【００１２】以下、図面に基づき本考案のブリスターケースを用いた実施の形態について例を挙げて説明するが、本考案は当実施例に限定されるものではない。【００１３】図１は本考案のブリスターケースの構成を示す説明図で台紙１とブリスターケース２とで構成されている。【００１４】図２は、台紙を示し、略長方形状に形成された平板状のもので構成されており、図３吊り下げ穴３方向より下端折曲げ部６方向へ差込まれ、左右両端折曲げ部４、５および下端折曲げ部６にて係止させる。折返し片７は任意の位置に少なくとも１つは突起８、９を有し、両端折曲げ部４，５の曲げ方向へ折返し、折返し片７の左右両端を両端折曲げ部４、５の内側に挿入することができる。その左右両端に施された突起８、９を折曲げ部４、５に施された覆輪１０、１１にそれぞれ勘合し封止する。【００１５】覆輪１０、１１は、図３で示す平行する物品収納凹部寸法幅Ｌ１より広い長さＬ２に連続して設ける。その断面は図４−１３で示す半円形状に設定される。【００１６】図３−７で示す折返し片の左右に設けられた突起８、９の外直径図５−Ｌ４は、覆輪１０、１１の内直径図４−Ｌ３より小さい寸法に設定される。【００１７】図４は、折曲げ部４、５、６の断面拡大図で、その第一折曲げ内寸高さ寸法Ｌ５に対し、開口部内寸高さ寸法Ｌ６は、小さく設定し台紙１を固持させる形状とする。【００１８】図６は、左右両端折曲げ部４、５に設けられた段差１４を示し、折曲げ部の開口高さ寸法Ｌ７に対し、段差部開口高さ寸法Ｌ８は、大きく設定される。
【図面の簡単な説明】
【００１８】
【図１】は、本考案の実施例の斜影図である。
【図２】は、台紙の説明図である。
【図３】は、ブリスターケースの正面図である。
【図４】は、覆輪の断面図であり、折曲げ部形状の説明図である。
【図５】は、折返し片７に設定される突起の断面図である。
【図６】は、段差についての断面図であり、段差の設定説明図である。
【符号の説明】
【００１９】１    台紙
２    ブリスターケース
３    吊り下げ穴
４    右端折曲げ部
５    左端折曲げ部
６    下端折曲げ部
７    上端折返し片
８    上端折返し片右端突起
９    上端折返し片左端突起
１０  端折曲げ部覆輪
１１  左端折曲げ部覆輪
１２  下側折曲げ部覆輪
１３  覆輪
１４  段差
Ｌ１  物品収納凹部寸法幅
Ｌ２  覆輪寸法幅
Ｌ３  覆輪内径寸法
Ｌ４  突起外径寸法
Ｌ５  第一折曲げ内寸高さ寸法
Ｌ６  開口部内寸高さ寸法
Ｌ７  折曲げ部の開口高さ寸法
Ｌ８  段差部開口高さ寸法
【図１】
0003145605.tif 000003
【図２】
0003145605.tif 000004
【図３】
0003145605.tif 000005
【図４】
0003145605.tif 000006
【図５】
0003145605.tif 000007
【図６】
0003145605.tif 000008